(57)【特許請求の範囲】
【請求項１】
画像データ、及び前記画像データに対応する動画データを記憶する記憶部と、
プリント物の購入注文を受け付けると、前記動画データの保存場所情報をコード化したコード画像と前記画像データとを合成して合成画像を生成する画像合成部と、
前記合成画像がプリントされたプリント物から前記コード画像を読み取って取得した前記保存場所情報を用いてアクセスしてきた携帯端末へ、前記動画データを送信する動画データ送信部と、
前記携帯端末の端末情報を取得する端末情報取得部と、
前記端末情報に基づいて、同一の保存場所情報を用いてアクセスしてきた携帯端末に対し前記動画データを送信するか否か判定する配信管理部と、
を備え、
前記画像合成部は、プリント物の購入注文を受け付ける度に、異なる保存場所情報をコード化したコード画像と、前記画像データとを合成して前記合成画像を生成し、
前記記憶部は、前記画像データ及び前記動画データの組み合わせに対し、前記プリント物の販売可能数、及び１枚のプリント物で動画を再生できる携帯端末の台数を示す再生可能デバイス数を規定した管理情報を記憶し、
前記配信管理部は、同一の保存場所情報を用いてアクセスしてきた携帯端末の台数をカウントし、カウント値が前記再生可能デバイス数に達した後、同じ保存場所情報を用いてさらに他の携帯端末からアクセスがあった場合、この携帯端末へは前記動画データを送信しないと判定することを特徴とするサーバ装置。
【請求項２】
前記管理情報は、前記販売可能数と同数の互いに異なる保存場所情報を含み、
前記画像合成部は、プリント物の購入注文を受け付ける度に、未使用の保存場所情報をコード化したコード画像を用いて前記合成画像を生成することを特徴とする請求項１に記載のサーバ装置。
【請求項３】
画像プリント装置を介して前記プリント物の購入注文を受け付けた場合、前記画像プリント装置から前記プリント物が出力されるように、前記画像プリント装置へ前記合成画像を送信する画像データ送信部をさらに備えることを特徴とする請求項１又は２に記載のサーバ装置。
【発明の詳細な説明】
【技術分野】
【０００１】
本発明は、サーバ装置に関する。
【背景技術】
【０００２】
タブレット端末やスマートフォン等の携帯端末で撮影した現実空間の画像上に、仮想物体等の画像を重畳して表示する拡張現実（ＡＲ：Ａｕｇｍｅｎｔｅｄ  Ｒｅａｌｉｔｙ）技術が知られている（例えば特許文献１、２参照）。ＡＲ技術を用いることで、例えば、プリント物を携帯端末で撮影すると、撮影したプリント物の中で動画を再生することができる。
【０００３】
コンテンツ画像がプリントされると共に、ＡＲ技術によりコンテンツ画像に特典動画を重畳して再生できるような動画付きプリント物を作製・販売するサービスが望まれている。しかし、プリント物の購入者によってプリント物が複製、頒布された場合、不特定多数の者に特典動画が再生されてしまい、動画付きプリント物の価値を毀損するという問題があった。また、コンテンツ画像のライセンサからは、コンテンツ画像をプリントしたプリント物を、インフラ設備投資や在庫リスクを抑えて販売できるようなシステムが望まれていた。
【先行技術文献】
【特許文献】
【０００４】
【特許文献１】特開２０１１−８７５２号公報
【特許文献２】特表２０１２−５０３２２８号公報
【発明の概要】
【発明が解決しようとする課題】
【０００５】
本発明は、上記従来の実状に鑑みてなされたものであり、プリント物を携帯端末で撮影することで動画が再生されるように携帯端末へ動画データを配信すると共に、動画データの再生を制限することができるサーバ装置を提供することを課題とする。また、本発明の一態様は、コンテンツ画像をプリントしたプリント物を低コストに販売できるようにするサーバ装置を提供することを課題とする。
【課題を解決するための手段】
【０００６】
本発明の一態様によるサーバ装置は、画像データ、及び前記画像データに対応する動画データを記憶する記憶部と、プリント物の購入注文を受け付けると、前記動画データの保存場所情報をコード化したコード画像と前記画像データとを合成して合成画像を生成する画像合成部と、前記合成画像がプリントされたプリント物から前記コード画像を読み取って取得した前記保存場所情報を用いてアクセスしてきた携帯端末へ、前記動画データを送信する動画データ送信部と、を備え、前記画像合成部は、プリント物の購入注文を受け付ける度に、異なる保存場所情報をコード化したコード画像と、前記画像データとを合成して前記合成画像を生成することを特徴とするものである。
【０００７】
本発明の一態様によるサーバ装置は、前記携帯端末の端末情報を取得する端末情報取得部と、前記端末情報に基づいて、同一の保存場所情報を用いてアクセスしてきた携帯端末に対し前記動画データを送信するか否か判定する配信管理部と、をさらに備えることを特徴とする。
【０００８】
本発明の一態様によるサーバ装置において、前記記憶部は、前記画像データ及び前記動画データの組み合わせに対し、前記プリント物の販売可能数、及び１枚のプリント物で動画を再生できる携帯端末の台数を示す再生可能デバイス数を規定した管理情報を記憶し、前記配信管理部は、同一の保存場所情報を用いてアクセスしてきた携帯端末の台数をカウントし、カウント値が前記再生可能デバイス数に達した後、同じ保存場所情報を用いてさらに他の携帯端末からアクセスがあった場合、この携帯端末へは前記動画データを送信しないと判定する。
【０００９】
本発明の一態様によるサーバ装置において、前記管理情報は、前記販売可能数と同数の互いに異なる保存場所情報を含み、前記画像合成部は、プリント物の購入注文を受け付ける度に、未使用の保存場所情報をコード化したコード画像を用いて前記合成画像を生成する。
【００１０】
本発明の一態様によるサーバ装置は、画像プリント装置を介して前記プリント物の購入注文を受け付けた場合、前記画像プリント装置から前記プリント物が出力されるように、前記画像プリント装置へ前記合成画像を送信する画像データ送信部をさらに備えることを特徴とする。
【００１１】
本発明の一態様によるサーバ装置は、画像データ、及び前記画像データをプリントしたプリント物の販売可能枚数、販売期間、価格、プリントサイズ、又は販売手段が設定された管理情報の登録を受け付けて記憶する記憶部と、前記プリント物の購入注文を受け付けると、前記プリント物を出力するプリンタへ前記画像データを送信する画像データ送信部と、を備え、前記画像データ送信部は、ユーザ端末から購入注文を受け付けた場合、前記画像データを所定のプリンタへ送信し、プリンタを搭載した画像プリント装置から購入注文を受け付けた場合、前記画像データを前記画像プリント装置へ送信することを特徴とするものである。
【発明の効果】
【００１２】
本発明によれば、プリント物を携帯端末で撮影することで動画が再生されるように携帯端末へ動画データを配信すると共に、動画データの再生を制限することができる。また、本発明の一態様によれば、コンテンツ画像をプリントしたプリント物を低コストに販売することができる。
【図面の簡単な説明】
【００１３】
【図１】本実施形態に係る動画データ配信システムの概略構成図である。
【図２】動画付きプリント物の例を示す図である。
【図３】サーバ装置の構成図である。
【図４】管理情報の一例を示す図である。
【図５】プリント物販売用ホームページの画面の例を示す図である。
【図６】画像プリント装置の構成図である。
【図７】携帯端末の構成図である。
【図８】動画再生アプリを実行することで実現される機能ブロック図である。
【図９】本実施形態に係る動画データ配信方法を説明するシーケンス図である。
【図１０】本実施形態に係る動画データ配信方法を説明するシーケンス図である。
【図１１】管理情報の一例を示す図である。
【発明を実施するための形態】
【００１４】
以下、本発明の実施の形態を図面に基づいて説明する。
【００１５】
図１は、本実施形態に係る動画データ配信システムの概略構成図である。図１に示すように、動画データ配信システムは、動画付きプリント物の注文を受け付けると共に、携帯端末４へ動画データを配信するサーバ装置１を備える。サーバ装置１は、動画付きプリント物にプリントする画像データと、配信する動画データとを保存している。
【００１６】
動画付きプリント物（以下、単に「プリント物」と称する場合もある。）にプリントする画像データは、例えば、スポーツ選手や有名人等の人物、動物、車などのコンテンツ画像のデータであり、動画データは、画像内の対象物が動いたり音声を出したりしている動画のデータである。
【００１７】
サーバ装置１は、インターネットを介して接続してきたユーザ端末７に、動画付きプリント物販売用のホームページを提示し、このホームページを介して動画付きプリント物の購入を受け付ける。ユーザ端末７は、プリント物の購入希望者（ユーザ）が、プリント物の購入を申し込むために用いる装置であり、サーバ装置１と通信する機能を有する。ユーザ端末７として、スマートフォン等の携帯端末７Ａやパソコン７Ｂを用いることができる。購入代金の支払いは、例えばクレジットカードを利用したオンライン決済で行われる。
【００１８】
ユーザは、購入申し込み時に氏名や住所等のユーザ情報を登録する。サーバ装置１は、プリント物の購入に伴い、購入画像に対応する動画データの保存場所情報をコード化して二次元コードを生成する。動画データの保存場所情報は、動画データにアクセスするための情報である。例えば、保存場所情報はＵＲＬであり、プリント物毎に異なるＵＲＬが割り当てられる。
【００１９】
サーバ装置１は、購入されたコンテンツ画像と二次元コードとを合成して合成画像を生成し、ユーザ情報と共に工場５へ送信する。工場５にはプリンタ（図示略）が設置されており、このプリンタが合成画像を印画紙にプリントして、図２に示すような、コンテンツ画像３１及び二次元コード３２がプリントされたプリント物３を作製する。プリント物３は、ユーザ情報を用いて配送される。これにより、ユーザは購入したプリント物３を入手することができる。
【００２０】
サーバ装置１は、画像プリント装置２を介してプリント物の購入を受け付けることができる。画像プリント装置２は、販売しているコンテンツ画像の画像データ（プレビュー用データ）を保存しており、ユーザが購入画像を選択すると、選択された画像をサーバ装置１に通知する。
【００２１】
サーバ装置１は、画像プリント装置２から購入画像が通知されると、購入画像に対応する動画データの保存場所情報をコード化して二次元コードを生成する。サーバ装置１は、購入されたコンテンツ画像と二次元コードとを合成して合成画像を生成し、画像プリント装置２へ送信する。
【００２２】
画像プリント装置２は、ユーザから料金が支払われると、サーバ装置１から受信した合成画像を印画紙にプリントしてプリント物３を出力する。これにより、ユーザはプリント物３を入手することができる。
【００２３】
サーバ装置１は、画像プリント装置２だけでなく、コンビニエンスストア等に設置されたキオスク端末やマルチコピー機６を介してプリント物の購入を受け付けてもよい。キオスク端末やマルチコピー機６でのプリント物購入、出力の流れは、上述した画像プリント装置２と同様のため、説明を省略する。
【００２４】
ユーザは、動画データを再生するためのプログラム（動画再生アプリ）が記憶された、スマートフォンやタブレット機器等の携帯端末４を有している。携帯端末４がこのプログラムを実行すると、二次元コードを読み取るために携帯端末４のカメラ機能が起動する。ユーザが携帯端末４のカメラでプリント物３上の二次元コード３２を撮影すると、携帯端末４は二次元コード３２を読み取って保存場所情報を取得し、サーバ装置１にアクセスする。
【００２５】
携帯端末４は、サーバ装置１から画像データを取得するとともに、携帯端末４のカメラでプリント物３のコンテンツ画像３１を撮影するようユーザに指示する。ユーザが携帯端末４のカメラでコンテンツ画像３１を撮影すると、携帯端末４は、撮影されたコンテンツ画像３１と、サーバ装置１から取得した画像との特徴点を比較して照合する。照合により２つの画像が一致した場合、携帯端末４はサーバ装置１からコンテンツ画像３１に対応する動画データを取得し、ディスプレイ上で動画を再生する。動画再生には公知のＡＲ技術が用いられ、携帯端末４のカメラで撮影しているプリント物３に動画が重畳して再生される。
【００２６】
このように、動画データ配信システムでは、オンラインでプリント物３の購入注文を受け付けたり、画像プリント装置２やマルチコピー機６を用いてプリント物３の購入注文を受け付けたりして、プリント物３を販売する。プリント物３を購入したユーザは、携帯端末４で二次元コード３２を読み取り、サーバ装置１にアクセスして動画データを受信・再生し、コンテンツ画像３１に対応する動画を視聴することができる。
【００２７】
プリント物３の購入に用いる携帯端末７Ａと、動画再生に用いる携帯端末４とは同じ物であってもよい。
【００２８】
図３はサーバ装置１の構成図である。サーバ装置１は、購入受付処理部１０、画像合成部１１、画像データ送信部１２、配信管理部１３、端末情報取得部１４、動画データ送信部１５、及び記憶部１６を備え、例えばコンピュータにより構成される。
【００２９】
記憶部１６は、販売中の画像の画像データ、画像データに対応する動画データ、及び管理情報を格納する。画像データ及び動画データは、例えばライセンサから提供されたものである。
【００３０】
図４に管理情報の一例を示す。管理情報は、複数のボックスに区分けされており、各ボックスには保存場所情報、販売可能数、再生可能デバイス数、画像情報、及び動画情報が含まれる。管理情報は、画像販売及び動画配信の管理単位でボックス分けされている。
【００３１】
販売可能数は、プリント物３の販売可能枚数（上限枚数）である。保存場所情報は、動画再生に際しサーバ装置１にアクセスするために必要な情報であり、これがコード化された二次元コード３２がプリント物３にプリントされる。例えば、ボックス００１に対応する画像販売では、販売可能数Ｘ１と同数の保存場所情報が準備される。これらＸ１個の保存場所情報は互いに異なるＵＲＬであるが、サーバ装置１の内部での変換処理により、同一のボックス（ボックス００１）が参照され、同一の動画データが再生されるようになっている。
【００３２】
再生可能デバイス数は、１枚のプリント物３で動画を再生できる携帯端末４の台数を示す。このため、端末情報取得部１４は、動画データを要求する携帯端末４の端末情報（例えば個体識別情報）を取得する。配信管理部１３は、携帯端末４がサーバ装置１にアクセスしてきた際の保存場所情報と、携帯端末４の端末情報とを対応付けて記憶しておき、同一の保存場所情報を利用してアクセスした携帯端末４の台数をカウントする。
【００３３】
配信管理部１３は、カウント値が再生可能デバイス数以下の場合は、動画再生を許可し、動画データを送信すると判定する。カウント値が再生可能デバイス数に達した後、同じ保存場所情報を利用してさらに他の携帯端末からアクセスがあった場合、配信管理部１３は動画再生を拒否し、当該携帯端末へ動画データを送信しないと判定する。
【００３４】
販売可能数及び再生可能デバイス数は、画像データ及び動画データを提供するライセンサが設定してもよい。販売可能数を設定せず、プリント物の購入の都度、保存場所情報を新たに生成（発行）してもよい。
【００３５】
画像情報は、販売する画像データについての情報を示す。動画情報は、画像データに対応する動画データについての情報を示す。画像情報及び動画情報により、プリント物にプリントされるコンテンツ画像と、このプリント物に重畳して再生される動画とが紐付けられる。
【００３６】
購入受付処理部１０は、インターネットを介して接続してきたユーザ端末７に、プリント物販売用のホームページを提示し、このホームページを介してプリント物の購入を受け付ける。例えば、購入受付処理部１０は、図５に示すような、購入可能な画像７０の一覧を含むホームページを提示する。購入受付処理部１０は、購入画像の選択やユーザ情報の登録を受け付けると共に、決済処理を行う。
【００３７】
また、購入受付処理部１０は、画像プリント装置２やマルチコピー機６から、プリント物の購入情報を受信する。
【００３８】
購入受付処理部１０は、購入された画像に対応する管理情報を参照し、未使用の保存場所情報を取り出す。また、購入受付処理部１０は、取り出した保存場所情報に使用済みのフラグを立てる。
【００３９】
プリント物３の販売枚数が販売可能数に達すると、未使用の保存場所情報がなくなるため、サーバ装置１は、売り切れとなったことを、ホームページに提示したり、画像プリント装置２やマルチコピー機６に通知したりする。
【００４０】
画像合成部１１は、購入受付処理部１０により取り出された保存場所情報をコード化して二次元コードを生成し、二次元コードと購入された画像とを合成して合成画像を生成する。
【００４１】
画像データ送信部１２は、ユーザ情報と共に、合成画像データを工場５へ送信する。画像プリント装置２やマルチコピー機６でプリント物が購入された場合は、合成画像データを画像プリント装置２やマルチコピー機６へ送信する。
【００４２】
プリント物の購入毎に、複数の保存場所情報のうち未使用の保存場所情報から二次元コードが生成される。これにより、工場５から出荷されるプリント物３、及び画像プリント装置２やマルチコピー機６で販売（出力）されるプリント物３は、コンテンツ画像３１が同じであっても、二次元コード３２が異なったものとなる。
【００４３】
画像データ送信部１２は、携帯端末４が保存場所情報に基づいてサーバ装置１にアクセスした場合、この保存場所情報に対応するボックスの画像情報を参照し、画像データを携帯端末４へ送信する。例えば、保存場所情報がボックス００１に含まれるものである場合、画像データ送信部１２は携帯端末４へ画像データＰ１を送信し、保存場所情報がボックス００２に含まれるものである場合、画像データ送信部１２は携帯端末４へ画像データＰ２を送信する。
【００４４】
動画データ送信部１５は、携帯端末４からの要求に応じて、携帯端末４へ動画データを送信する。携帯端末４へ送信する動画データは、携帯端末４へ送信した画像データに対応したものである。
【００４５】
図６は、画像プリント装置２のブロック構成図である。図６に示すように、画像プリント装置２は、ＣＰＵ（中央処理部）２０、タッチパネル（表示部、操作部）２１、課金部２２、プリンタ２３、通信部２４、及びメモリ２５を有する。画像プリント装置２は、通信部２４を介してサーバ装置１と通信可能に接続されている。
【００４６】
課金部２２は、投入された貨幣を識別計数し、釣銭を出金する。プリンタ２３は、例えば昇華型熱転写方式の高解像度カラープリンタである。
【００４７】
メモリ２５は、制御プログラム、及びサーバ装置１から受信した画像データを記憶する。ＣＰＵ２０が制御プログラムを実行することで、画像プリント装置２の各部を制御する制御部として機能する。
【００４８】
タッチパネル２１は、プリント物３のサンプル画像を表示する。ユーザが購入画像を選択して料金を支払うと、通信部２４はサーバ装置１に購入画像を示す購入情報を送信する。通信部２４は、サーバ装置１から、購入画像に保存場所情報の二次元コードが合成された合成画像を受信する。この合成画像をプリンタ２３が印画紙にプリントすることで、プリント物３が出力される。
【００４９】
画像プリント装置２は、デジタルカメラ等で撮影した画像データが記憶された記憶媒体から画像データを読み取り、読み取った画像をタッチパネル２１に表示し、ユーザから画像の選択、プリントサイズやプリント枚数の指定を受け付け、プリンタ２３により画像をプリント出力する機能を備えていてもよい。
【００５０】
マルチコピー機６の機能は、上述した画像プリント装置２の機能と同様であるため、説明を省略する。
【００５１】
図７は、携帯端末４のブロック構成図である。携帯端末４は、ＣＰＵ４０、メモリ４１、カメラ４２、通信部４３、ＧＰＳ４４、及びディスプレイ（タッチパネル）４５を備える。
【００５２】
メモリ４１は、動画再生アプリ（アプリケーションプログラム）を記憶する。メモリ４１は、フラッシュメモリタイプ、ハードディスクタイプ、マルチメディアカードマイクロタイプ、カードタイプのメモリ（例えば、ＳＤ又はＸＤメモリなど）、ＲＡＭ、ＳＲＡＭ、ＲＯＭ、ＥＥＰＲＯＭ、ＰＲＯＭ、磁気メモリの少なくとも１つのタイプの記憶媒体を含む。
【００５３】
ＣＰＵ４０が動画再生アプリを実行することで、図８に示すように、画像取得部４６、特徴点比較部４７、及び動画再生部４８が実現され、動画の再生が行えるようになる。
【００５４】
画像取得部４６は、カメラ４２を用いてプリント物３にプリントされた二次元コード３２から保存場所情報を読み取り、通信部４３を介してサーバ装置１にアクセスし、コンテンツ画像３１に対応する画像データを取得する。また、画像取得部４６はカメラ４２を用いてコンテンツ画像３１を撮影・取得する。
【００５５】
特徴点比較部４７は、サーバ装置１から取得した画像と、カメラ４２で撮影したプリント物３のコンテンツ画像３１との特徴点を比較する。特徴点が合致した場合、動画再生部４８は、サーバ装置１から動画データを受信する。特徴点が不一致の場合、ディスプレイ４５に再生不可であることが表示される。
【００５６】
動画再生部４８は、公知のＡＲ技術を用いて、受信した動画データを、カメラ４２で撮影しているコンテンツ画像３１（又はプリント物３全体）に重畳させて再生する。例えば、検出したコンテンツ画像３１の特徴点を追跡してカメラ４２の位置姿勢を推定し、カメラ画像と動画の位置合わせを行う。
【００５７】
ＧＰＳ４４は携帯端末４の位置情報を取得し、サーバ装置１からの要求に応じて位置情報をサーバ装置１に通知する。
【００５８】
図９は、本実施形態による画像販売及び動画再生の処理の流れを示す図である。図９は、ホームページを利用してプリント物の購入・配送の注文を行う例を示す。また、ユーザは、プリント物の購入及び動画の再生に同一の携帯端末４を用いるものとする。
【００５９】
ライセンサからコンテンツ画像及び動画が提供され、販売可能数や再生可能デバイス数が設定されると、これらの情報を含む管理情報がサーバ装置１の記憶部１６に登録される（ステップＳ１０１）。サーバ装置１は、販売可能数に対応する数の保存場所情報を生成し、管理情報内に格納する。サーバ装置１は、管理情報を登録すると、画像販売用のホームページを更新し、プリント物の販売を開始する。
【００６０】
ユーザは、携帯端末４を用いて、ホームページから購入するプリント物のコンテンツ画像を選択し、プリント物を注文する。ユーザは、氏名や住所等のユーザ情報を登録し、オンライン決済で代金を支払う（ステップＳ１０２）。
【００６１】
サーバ装置１は、管理情報内の購入画像に対応するボックスを参照し、未使用の保存場所情報を取り出す。サーバ装置１は、この保存場所情報をコード化し、二次元コード画像を生成する。そして、サーバ装置１は、この二次元コード画像と、購入された画像とを合成して、合成画像を生成する（ステップＳ１０３）。サーバ装置１は、合成画像と購入者のユーザ情報とを工場５へ送信する（ステップＳ１０４）。
【００６２】
工場５に設置されたプリンタ（図示略）が合成画像をプリントして、プリント物３を作製する（ステップＳ１０５）。コンテンツ画像３１及び二次元コード３２がプリントされたプリント物３は、ユーザ情報をもとにユーザへ配送される（ステップＳ１０６）。これにより、ユーザは、プリント物３を入手することができる。
【００６３】
ユーザが、携帯端末４の動画再生アプリを実行すると、カメラ４２が起動し、ディスプレイ４５上に二次元コードの読み取り指示が表示される（ステップＳ１０７）。カメラ４２でプリント物３の二次元コード３２を撮影することで、携帯端末４は保存場所情報を取得する（ステップＳ１０８）。
【００６４】
携帯端末４の画像取得部４６は、保存場所情報に基づき、通信部４３を介してサーバ装置１にアクセスし、画像データを要求する（ステップＳ１０９）。サーバ装置１は、携帯端末４からアクセスされた際の保存場所情報に対応する管理情報のボックスを参照し、画像データを携帯端末４へ送信する（ステップＳ１１０）。例えば、保存場所情報がボックス００１に含まれるものである場合、サーバ装置１は画像データＰ１を携帯端末４へ送信する。
【００６５】
携帯端末４がサーバ装置１から画像データを受信すると、ディスプレイ４５上にコンテンツ画像３１の読み取り指示が表示される。カメラ４２でプリント物３のコンテンツ画像３１を撮影すると、特徴点比較部４７が、サーバ装置１から受信した画像と、カメラ４２で撮影したコンテンツ画像３１との特徴点を比較する（ステップＳ１１１）。特徴点が合致すると、携帯端末４はサーバ装置１に対し動画データを要求する（ステップＳ１１２）。
【００６６】
サーバ装置１は、ステップＳ１１０で携帯端末４へ送信した画像データに対応する動画データを携帯端末４へ送信する（ステップＳ１１３）。例えば、サーバ装置１は、管理情報のボックス００１を参照し、画像データＰ１に対応する動画データＭ１を携帯端末４へ送信する。
【００６７】
携帯端末４が動画データを受信すると、動画再生部４８が、公知のＡＲ技術を用いて、カメラ４２で撮影しているコンテンツ画像３１に重畳させて動画データを再生する（ステップＳ１１４）。これにより、ディスプレイ４５では、プリント物３内のコンテンツ画像３１が動き出したように動画が再生される。
【００６８】
図１０は、画像プリント装置２がユーザからプリント物の購入を受け付ける場合の、画像販売及び動画再生の処理の流れを示す図である。
【００６９】
ライセンサから販売画像及び動画が提供され、販売可能数や再生可能デバイス数が設定されると、これらの情報を含む管理情報がサーバ装置１の記憶部１６に登録される（ステップＳ２０１）。サーバ装置１は、販売可能数に対応する数の保存場所情報を生成し、管理情報内に格納する。サーバ装置１は、管理情報を登録すると、画像プリント装置２へ画像データを送信する（ステップＳ２０２）。画像プリント装置２は、画像データを用いて、タッチパネル２１にプリント物３のサンプル画像を表示する。これにより、画像プリント装置２で画像販売が開始される。
【００７０】
ユーザが、画像プリント装置２を操作して画像を購入し、料金を支払うと（ステップＳ２０３）、画像プリント装置２は購入された画像を示す購入情報をサーバ装置１に送信する（ステップＳ２０４）。
【００７１】
サーバ装置１は、受信した購入情報に基づいて、管理情報の購入画像に対応するボックスを参照し、未使用の保存場所情報を取り出し、コード化して二次元コード画像を生成する。そして、サーバ装置１は、この二次元コード画像と、購入画像とを合成して、合成画像を生成する（ステップＳ２０５）。管理情報内の使用された保存場所情報には、使用済のフラグが設定される。サーバ装置１は、合成画像を画像プリント装置２へ送信する（ステップＳ２０６）。
【００７２】
画像プリント装置２は、サーバ装置１から合成画像を受信すると、この合成画像を印画紙にプリントして出力する（ステップＳ２０７）。これにより、ユーザは、コンテンツ画像３１及び二次元コード３２がプリントされたプリント物３を入手することができる（ステップＳ２０８）。その後のステップＳ２０９〜Ｓ２１６の処理は、図９のステップＳ１０７〜Ｓ１１４と同じであるため、説明を省略する。
【００７３】
このように、本実施形態によれば、プリント物３を携帯端末４で撮影することで、プリント物３に動画が重畳して再生されるように携帯端末４へ動画データを配信することができる。
【００７４】
また、サーバ装置１の記憶部１６に保存された管理情報に販売可能数を設定することで、プリント物３の発行枚数を制限することができる。発行枚数を制限することで、プリント物３の価値を上げることができる。
【００７５】
サーバ装置１は、携帯端末４の端末情報を取得し、携帯端末４からアクセスされた際の保存場所情報毎に端末情報を登録する。登録された端末情報の数から、１つの保存場所情報を利用して何台の携帯端末４が動画再生を行ったか管理される。そのため、サーバ装置１は、再生可能デバイス数に基づき、動画再生可能な携帯端末の台数を制限することができる。動画再生端末数を制限することで、プリント物３の複製・頒布を抑制できる。
【００７６】
ユーザ（携帯端末４）の位置や、動画再生時刻により、異なる動画が再生されるようにしてもよい。この場合、図１１に示すように、管理情報には、位置や時刻等の条件に応じた複数の動画が定義される。ユーザ（携帯端末４）の位置は、ＧＰＳ４４により取得される。例えば、条件１に時刻５：００〜１０：００、条件２に時刻１０：００〜１８：００、条件３に時刻１８：００〜５：００が設定されている場合、朝、昼、夜で再生される動画を変えることができる。
【００７７】
条件に“位置”を設定した場合、特定の場所で特定の動画が再生される。例えば、イベント会場において動画再生を行うことで、イベントに関連した特別な動画を視聴可能にできる。
【００７８】
管理情報の条件には、位置や時刻だけでなく、携帯端末４から取得可能な様々なデバイス情報（メーカ、設定言語、モデル名、ＩＰアドレスゾーン、ネットワークセグメント）を設定することができる。管理情報の条件に動画再生アプリを特定する識別情報が設定され、端末情報取得部１４が携帯端末４にインストールされている動画再生アプリの識別情報を取得するようにしてもよい。
【００７９】
管理情報には、動画データの配信期間が設定されていてもよい。また、追加課金により動画データの配信期間が延長できるようにしてもよい。この場合、動画データの配信期間は、保存場所情報毎に異なったものとなる。
【００８０】
動画データ配信システムは、複数の画像プリント装置２やマルチコピー機６を備えていてもよい。サーバ装置１が、画像プリント装置２やマルチコピー機６毎に、プリント物の販売期間を設定してもよい。
【００８１】
上記実施形態による動画データ配信システムは、動画付きプリント物だけでなく、動画が紐付いていない、コンテンツ画像がプリントされたコンテンツプリント物の販売に用いることができる。ライセンサは、コンテンツ画像の画像データをサーバ装置１に登録すると共に、コンテンツプリント物の販売可能枚数、販売期間、価格、プリントサイズ、販売手段などを設定する。設定された情報は、管理情報として記憶部１６に格納される。
【００８２】
プリントサイズには、例えば、Ｌサイズ、ＰＣサイズ、２Ｌサイズ、六つ切りサイズなどの写真プリントサイズ、Ａ２、Ａ３などのポスターサイズが設定される。
【００８３】
販売手段には、例えば、画像プリント装置２、マルチコピー機６、工場５からの宅配などが設定される。設定された販売手段に工場５からの宅配が含まれる場合、登録されたコンテンツ画像は、プリント物販売用のホームページに掲載される。設定された販売手段に画像プリント装置２やマルチコピー機６が含まれる場合、画像データ送信部１２は、画像プリント装置２やマルチコピー機６のディスプレイに表示するためのプレビュー用画像データを画像プリント装置２やマルチコピー機６へ送信する。販売可能枚数や販売期間は、販売手段毎に設定することができる。
【００８４】
購入注文受付部１１がユーザ端末から購入注文を受け付けると、画像データ送信部１２は、画像データを工場５のプリンタへ送信する。購入注文受付部１１が画像プリント装置２やマルチコピー機６から購入注文を受け付けると、画像データ送信部１２は、画像データを画像プリント装置２やマルチコピー機６へ送信する。
【００８５】
画像プリント装置２やマルチコピー機６に、プレビュー用画像データでなくプリント用画像データを予め送信している場合、サーバ装置１は、画像プリント装置２やマルチコピー機６から購入注文を受け付けると、コンテンツプリント物の出力許可を送信する。
【００８６】
このように、動画データ配信システムを用いることで、ライセンサは、コンテンツ画像データ及び各種情報をサーバ装置１に登録（設定）するだけで、コンテンツプリント物の販売を行うことができる。例えば、ライセンサは、コンテンツプリント物の販売実績に応じたシステム利用料をシステム運用者に支払うことで、インフラ設備投資や在庫リスク無しで、コストを抑えてコンテンツプリント物の販売を行うことができる。
【００８７】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００８８】
１  サーバ装置
２  画像プリント装置
３  プリント物
４  携帯端末
５  工場
６  マルチコピー機
７  ユーザ端末
【図１】
0006720567.tif 000002
【図２】
0006720567.tif 000003
【図３】
0006720567.tif 000004
【図４】
0006720567.tif 000005
【図５】
0006720567.tif 000006
【図６】
0006720567.tif 000007
【図７】
0006720567.tif 000008
【図８】
0006720567.tif 000009
【図９】
0006720567.tif 000010
【図１０】
0006720567.tif 000011
【図１１】
0006720567.tif 000012